(57)【要約】      （修正有）【課題】折り畳み可能な構造とすることで、持ち運びを便利にした遠赤外線サウナボックスを提供する。【解決手段】遠赤外線サウナボックスは、骨組み１０１と、加熱システムと、制御システム１０４と、骨組み１０１上に被せられるように構成された外部カバー１０２を有する。外部カバー１０２と骨組み１０１によって、密閉空間が形成される。利用者の出入りを可能にし、その頭部や手を外部に出すことができるように、ファスナー１０６が外部カバー１０２に備えられる。前記サウナボックスが使用されるとき、利用者は、頭部や手を、前記サウナボックスから外部に出すことができる。前記加熱システムは、密閉空間内に配置されるスペクトルエネルギー増幅器１０３−１と、密閉空間の内壁に配置される加熱板１０３−２を有する。【選択図】図１
0003176362.tif 000002
【実用新案登録請求の範囲】
【請求項１】
箱体とヒータから構成される遠赤外線サウナボックスであって、
前記箱体は支持部品と折畳式の部品を有し、
前記支持部品は、前記箱体の骨格を形成し、前記折畳式の部品は、前記支持部品に接続されて、前記箱体を形成する、遠赤外線サウナボックス。
【請求項２】
前記支持部品は複数の板を有し、前記折畳式の部品は、前記複数の板を接続する折畳式の接続部品を有し、前記板は、前記折畳式の部品によって折り畳み可能にされ、あるいは、
前記支持部品は骨組みを有し、前記折畳式の部品は折畳式の外部カバーを有し、前記骨組みは折畳式になっていて、前記箱体の骨格を形成し、前記折畳式の外部カバーは、前記骨組み上に被せられて、前記箱体を形成する、請求項１に記載の遠赤外線サウナボックス。
【請求項３】
前記板は中空板である、請求項２に記載の遠赤外線サウナボックス。
【請求項４】
前記折畳式の外部カバーは、赤外線反射材で被膜された内壁を有する布地である、請求項２に記載の遠赤外線サウナボックス。
【請求項５】
さらに、前記箱体内にスペクトルエネルギー増幅器が配置される、請求項１乃至４のいずれか１項に記載の遠赤外線サウナボックス。
【請求項６】
さらに、前記箱体内に椅子が配置される、請求項１乃至４のいずれか１項に記載の遠赤外線サウナボックス。
【考案の詳細な説明】
【技術分野】
【０００１】
本願は、ヘルスケアおよび治療技術に関し、より詳細には、遠赤外線サウナボックスに関する。
【背景技術】
【０００２】
現在、遠赤外線技術は、広範に利用されている。何故なら、波長が６μｍから１５μｍの範囲にある遠赤外線は、例えば、皮下組織の温度を上昇し、毛細血管を拡張し、血液の循環を促進し、体の新陳代謝を高め、血液中の有害物質を除去し、組織の再生能力と抗痙攣能を改善するように、皮膚および人体の皮下組織に浸透し、これにより、治癒機能とヘルスケア機能を有するからである。
【０００３】
特許文献１には、遠赤外線サウナボックスが開示されており、該遠赤外線サウナボックスは、箱体と、ボックス内に設けられた伝熱面から構成される。前記伝熱面は、放射能力の高い遠赤外線放射材料の層に結合され、前記放射能力の高い遠赤外線放射材料は、木炭、麦飯石、玉石、ゲルマン鉱、トルマリンおよび磁石の何れかから選ばれる。前記放射能力の高い遠赤外線放射材料の層は平板状、間隔を空けたストリップ状（ｓｔｒｉｐ−ｓｈａｐｅｄ）、隙間無く並べたブロック状、シート状あるいは格子状に配置され、これにより、遠赤外線を十分に放射でき、優れた治療およびヘルスケア効果を発揮できる。遠赤外線サウナボックスは、婦人病、リューマチ、糖尿病、リンパ系疾患、関節痛、筋肉痛および外傷を負った患者に、より適している。
【先行技術文献】
【特許文献】
【０００４】
【特許文献１】中国実用新案第２００７２０２０１１４６．８号明細書
【考案の概要】
【考案が解決しようとする課題】
【０００５】
前記実用新案について、本願の考案者は、遠赤外線サウナボックスの箱体が大きく、かつ固定式であるので、持ち運びに不便であるということに気付いた。
【課題を解決するための手段】
【０００６】
本願の実施形態によって解決される技術的課題は、持ち運びに便利な遠赤外線サウナボックスを提供することである。
【０００７】
本開示の実施形態によって、箱体とヒータを有する遠赤外線サウナボックスが提供される。
【０００８】
前記箱体には、支持部品と折畳式の部品が含まれる。
【０００９】
前記支持部品は、前記箱体の骨格を形成し、前記折畳式の部品は、前記指示部品に接続されて、前記箱体を形成する。
【００１０】
必要に応じて、前記支持部品には複数の板が含まれ、前記折畳式の部品には前記複数の板を接続する折畳式の接続部品が含まれる。前記板は、前記折畳式の接続部品によって、折り畳まれてもよい。
【００１１】
あるいは、前記支持部品には、骨組みが含まれてもよく、前記折畳式の部品には、折畳式の外部カバーが含まれる。前記骨組みは折畳式になっていて、前記箱体の骨格を形成する。前記折畳式の外部カバーは、前記箱体を形成するように、前記骨組み上に被せられる。
【００１２】
前記板は、必要に応じて、中空板の形を取る。
【００１３】
前記折畳式の外部カバーは、必要に応じて、赤外線反射材で被膜された内壁を有する布地の形を取る。
【００１４】
さらに、前記遠赤外線サウナボックスの箱体には、スペクトルエネルギー増幅器が配置される。
【００１５】
さらに、前記遠赤外線サウナボックスの箱体には、椅子が配置される。
【００１６】
上述の技術的解決手段には、以下の有利な効果がある。例えば、前記遠赤外線サウナボックスの前記箱体は、前記支持部品と前記折畳式の部品を有するので、持ち運びに便利なように前記箱体を折り畳めば、前記遠赤外線サウナボックスの容積を小さくできる。
【図面の簡単な説明】
【００１７】
【図１】本考案に係る遠赤外線サウナボックスの概略構成図である。
【図２Ａ】本考案に係る遠赤外線サウナボックスの箱体の折り畳みを示す概略図である。
【図２Ｂ】本考案に係る遠赤外線サウナボックスの箱体の折り畳みを示す概略図である。
【考案を実施するための形態】
【００１８】
本考案は、実施形態の説明と図面を用いて、以下に詳述される。本考案の実施形態の説明において使用される同じ参照番号と名称の組み合わせは、特記のない限り、同一の構成を示している。一つの図が参照されると、同一の参照番号を含む他の関連する図も参照されるので、以下の本考案の実施形態についての説明においては、これらの各図を明示しない。
【００１９】
本考案の実施形態によって解決される技術的課題は、持ち運びに便利な遠赤外線サウナボックスを提供することである。前記遠赤外線サウナボックスは、箱体とヒータを有する。
【００２０】
前記箱体は、支持部品と折畳式の部品を有する。
【００２１】
前記支持部品は、前記箱体の骨格を形成する。前記箱体は、前記折畳式の部品と前記支持部品を接続して形成される。
【００２２】
前記箱体を折り畳む２つの特徴的な実施方法が、以下に示される。
【００２３】
前記支持部品は複数の板を有し、前記折畳式の部品は、複数の板を接続する折畳式の接続部品を有する。前記板は、前記折畳式の接続部品によって折り畳まれることができる。
【００２４】
あるいは、前記支持部品は骨組みを有し、前記折畳式の部品は外部カバーを有する。前記骨組みは折畳式であってもよく、前記箱体の骨格を形成してもよい。前記折畳式の外部カバーは、前記骨組み上に被せられて、前記箱体を形成する。
【００２５】
前記遠赤外線サウナボックスの前記箱体は、前記支持部品と前記折畳式の部品を有するので、持ち運びに便利なように前記箱体を折り畳めば、前記遠赤外線サウナボックスの容積を小さくできる。
【００２６】
前記板は、必要に応じて、中空板の形を取る。前記中空板を用いれば、前記箱体の重量を減らせるので、前記箱の持ち運びは容易になる。
【００２７】
赤外線反射材が、必要に応じて、前記板の内壁または前記外部カバーの内壁に備えられてもよい。前記赤外線反射材を使用すれば、前記板または前記外部カバーが赤外線を吸収する現象が緩和されるので、エネルギー源の浪費を低減でき、エネルギー源の利用率が向上する。
【００２８】
さらに詳細には、前記赤外線反射材は銀メッキされた布地である。もちろん、他の種類の赤外線反射材を用いても、本考案を実施するのに影響はない。前記銀メッキされた布地は、赤外線反射材の単なる一例であり、本考案を限定して解釈すべきではない。
【００２９】
ヒータの遠赤外線放射材料には、必要に応じて、遠赤外線を放射する炭素とパルプの混合物（ｆａｒ  ｉｎｆｒａｒｅｄ  ｃａｒｂｏｎ  ｐｕｌｐ  ａｌｌｏｙ）を用いる。遠赤外線を放射する炭素とパルプの混合材料で作られる加熱素子の電気・熱変換率は、９９％、つまり、ほぼ１００％にまで達し、その利用率は、木炭、麦飯石、玉石、ゲルマン鉱、トルマリンまたは磁石などよりも高くなる。従来の加熱材料と比べると、前記炭素とパルプの混合材料を用いれば、材料の使用量を減らせるので、資源を大いに節約できる。
【００３０】
さらに、前記遠赤外線サウナボックスの箱体内には、スペクトルエネルギー増幅器が配置される。スペクトルエネルギー増幅器内には、正温度係数（ＰＴＣ）を有し、その表面が遠赤外線放射材料で覆われる抵抗器を、加熱素子として用いることができるので、エネルギー変換効率は高くなり、エネルギーの正確な制御を容易に実現できる。エネルギーを循環させるために、スペクトルエネルギー増幅器内に送風機が設置されてもよく、これにより、システム内のエネルギーが均一になるように改善される。スペクトルエネルギー増幅器を用いれば、エネルギーの変換速度と変換効率を向上できる。
【００３１】
さらに、前記遠赤外線サウナボックスの箱体内には、椅子が配置される。前記箱体内に椅子を備えれば、前記遠赤外線サウナボックスを利用するときに、利用者は座ることができ、起立や蹲踞する場合などよりも快適に感じるので、利用者の感覚を改善できる。
【００３２】
さらに詳細には、図１に示すように、本考案の実施形態に係る遠赤外線サウナボックスの概略構成図が示される。
【００３３】
遠赤外線サウナボックスは、骨組み１０１と、加熱システムと、制御システム１０４と、骨組み１０１上に被せられるように構成された外部カバー１０２を有する。外部カバー１０２と骨組み１０１によって、密閉空間が形成される。椅子１０５が密閉空間内に備えられる。利用者の出入りを可能にし、その頭部や手を外部に出すことができるように、ジッパー（登録商標）１０６が外部カバー１０２に備えられる。前記サウナボックスが使用されるとき、利用者は、頭部や手を、前記サウナボックスから外部に出すことができる。前記加熱システムは、密閉空間内に配置されるスペクトルエネルギー増幅器１０３−１と、密閉空間の内壁に配置される加熱板１０３−２を有する。加熱板１０３−２の数は、図１に示されるように３個である。本考案を実施する状況に応じて、加熱板１０３−２の数は変更できるが、このことは、本考案の実施に影響を及ぼすものではない。実施形態は例示であり、本考案を限定することを意図していないことに注目する必要がある。制御システム１０４は、加熱システム、例えば、それらの加熱力を制御するように使用される。さらに、図１の右側に円で囲んで示すように、加熱板１０３−２、骨組み１０１および外部カバー１０２は、前記サウナボックスに対して内側から外側に、この順に配置される。
【００３４】
以下には、箱体の一例として、中空板を用いることが示される。図２Ａおよび図２Ｂに示されるように、図２Ａには、本開示に係る遠赤外線サウナボックスの箱体が、折り畳まれたときの概略図が示され、図２Ｂには、図２Ａに示される箱体が、折り畳まれていないときの概略図が示される。
【００３５】
前記箱体には、中空板２０１が含まれる。折畳式の接続部品２０２は、中空板２０１が、折畳式の接続部品２０２によって折り畳まれるように、中空板２０１上に備えられる。このため、前記箱体は、中空板２０１を折り畳むことによって折り畳まれる。
【００３６】
前記箱体が、骨組み部品と外部カバーを有する場合、前記外部カバーは布地であってもよい。前記骨組み部品が折り畳まれるか、または解体されると、前記箱体の全体を折り畳むことができる。
【００３７】
これまで、本考案の好適な実施形態のみが開示されてきた。言葉による表現には限界があるが、特徴的な構成には客観的な限界がないことに注目する必要がある。このため、本考案の原理から逸脱することなく、当業者によって多くの改良と変形がなされると好ましく、また、これらの改良と変形は、本考案の保護範囲に入るものと見なされるべきである。
【００３８】
本願は、２００９年６月１７日付けで中華人民共和国国家知識産権局に出願された、中国特許出願第２００９２０１５９３４１．８号明細書（表題「遠赤外線サウナボックス」）に関する優先権の利益を主張する。その開示内容の全てが、本明細書に参照されて包含される。
【図１】
0003176362.tif 000003
【図２Ａ】
0003176362.tif 000004
【図２Ｂ】
0003176362.tif 000005